(57)【要約】【課題】画像形成部の筐体の側板の狭い範囲に力がかかるのを抑制しつつ、画像読取部を支持する支持体を側板に固定し、より簡単な構成で画像読取部を画像形成部の上面に片持状で間隔を持って配置する。【解決手段】第一支柱５００は、第一支持部５０２が側板４０２に固定され、水平方向に延びた第二支持部５０４が側板４０２に固定されている箱部４１０に固定されている。よって、箱部４１０も第一支柱５００と一体となって、画像読取部２００を支持している。したがって、第一支持部５０２及び第二支持部５０４で構成する三角形領域と箱部４１０の四角領域との広い領域で画像読取部２００を支えるので、第一支柱５００を側板４０２に固定しても、側板４０２に歪が生じにくい。よって、第一支柱５００を側板４０２に固定しても、画像形成部１００の筐体４００の歪みに起因する画像の品質の低下が生じない。【選択図】図８
2011053701.tif 000002
【特許請求の範囲】
【請求項１】
画像形成部の上面に対し間隔を持って配置されると共に、片持状に支持された画像読取部を有する画像形成装置であって、
前記画像形成部の筐体と、
前記筐体を構成し、一方側と他方側とに対向して設けられた一対の側板と、
前記筐体を構成する一方側の前記側板に固定され、前記画像読取部を支持する第一支持体と、
前記筐体を構成する他方側の前記側板に固定され、前記画像読取部を支持する第二支持体と、
前記筐体を構成する一方側の前記側板に取り付けられた電源回路基板と、
前記筐体を構成する一方側の前記側板に設けられた受部と、
を有し、
前記第一支持体は、
前記筐体を構成する一方側の前記側板に固定され、前記画像読取部を支持する中空の第一支持部と、
前記第一支持部から前記片持状に支持された前記画像読取部と同方向に延び、前記受部に固定される第二支持部と、
を備え、
中空の前記第一支持部の中に、前記電源回路基板と前記画像読取部を繋ぐ電線が配設されていることを特徴とする画像形成装置。
【請求項２】
原稿を読み取る読取バーを走査する走査駆動機構が、前記画像読取部の一方側に設けられ、
前記画像形成部の前記上面と前記画像読取部との間における前記第一支持体の水平断面の面積が、前記第二支持体の水平断面の面積よりも大きくなるように構成されていることを特徴とする請求項１に記載の画像形成装置。
【請求項３】
前記受部は、一方側の前記側板から立設する枠体とされ、
前記枠体の中に、前記電源回路基板が設けられていることを特徴とする請求項１又は請求項２に記載の画像形成装置。
【請求項４】
前記筐体の一方側の前記側板における前記枠体の上方に駆動モータが固定され、
前記第一支持体を構成する前記第一支持部は前記筐体の一方側の前記側板における前記駆動モータの横側を上下方向に沿って配置されて前記側板に固定され、前記第二支持部は一方側の前記側板における前記駆動モータの下側に配置されて前記枠体の上端部に固定され支持されていることを特徴とする請求項３に記載の画像形成装置。
【発明の詳細な説明】
【技術分野】
【０００１】
本発明は、画像形成装置に関する。
【背景技術】
【０００２】
用紙給紙ユニットの上面に画像形成ユニットが搭載され、この画像形成ユニットの上方に画像読取ユニットを配置した画像形成装置がある。そして、用紙給紙ユニットの背面に画像読取ユニットを支持する支持体を固定する構成が提案されている。
【０００３】
このような構成とすることで、画像形成ユニット及び用紙給紙ユニットの移動に伴い、支持体に支持された画像読取ユニットも一体となって移動することができる。また、用紙給紙ユニットは、画像形成装置の最下部に位置しており、更に、内部に用紙を収容するので、画像読取ユニットに比較して十分に重い。よって、支持体を介して画像読取ユニットは安定した状態となる。更に、支持体には画像形成ユニット及び用紙給紙ユニットの重量は作用しないので、支持体は画像読取ユニットの重量のみを支持する強度を備えれば良い。よって、支持体の構造を単純にすることができる。（例えば、特許文献１参照）。
【特許文献１】特開２００１−２０３８４０号公報
【発明の開示】
【発明が解決しようとする課題】
【０００４】
しかしながら、より簡単な構成とするため、画像形成ユニットの筐体の側板に、特開２００１−２０３８４０号公報のような柱状の連結部材を側板に固定すると、狭い範囲に力がかかるので、画像読取ユニットの重さで筐体の側板が歪み、例えば、画像形成ユニットで用紙上に形成された画像の品質が低下したり、用紙と用紙上に形成された画像の位置にずれが生じるなどの問題が発生する。
【０００５】
本発明は、上記問題を解決すべく成されたもので、画像形成部の筐体の側板の狭い範囲に力がかかるのを抑制しつつ、画像読取部を支持する支持体を側板に固定し、より簡単な構成で画像読取部を画像形成部の上面に片持状で間隔を持って配置することを目的とする。
【課題を解決するための手段】
【０００６】
請求項１の発明は、画像形成部の上面に対し間隔を持って配置されると共に、片持状に支持された画像読取部を有する画像形成装置であって、前記画像形成部の筐体と、前記筐体を構成し、一方側と他方側とに対向して設けられた一対の側板と、前記筐体を構成する一方側の前記側板に固定され、前記画像読取部を支持する第一支持体と、前記筐体を構成する他方側の前記側板に固定され、前記画像読取部を支持する第二支持体と、前記筐体を構成する一方側の前記側板に取り付けられた電源回路基板と、前記筐体を構成する一方側の前記側板に設けられた受部と、を有し、前記第一支持体は、前記筐体を構成する一方側の前記側板に固定され、前記画像読取部を支持する中空の第一支持部と、前記第一支持部から前記片持状に支持された前記画像読取部と同方向に延び、前記受部に固定される第二支持部と、を備え、中空の前記第一支持部の中に、前記電源回路基板と前記画像読取部を繋ぐ電線が配設されていることを特徴とする。
【０００７】
請求項２の発明は、原稿を読み取る読取バーを走査する走査駆動機構が、前記画像読取部の一方側に設けられ、前記画像形成部の前記上面と前記画像読取部との間における前記第一支持体の水平断面の面積が、前記第二支持体の水平断面の面積よりも大きくなるように構成されていることを特徴とする。
【０００８】
請求項３の発明は、前記受部は、一方側の前記側板から立設する枠体とされ、前記枠体の中に、前記電源回路基板が設けられていることを特徴とする。
【０００９】
請求項４の発明は、前記筐体の一方側の前記側板における前記枠体の上方に駆動モータが固定され、前記第一支持体を構成する前記第一支持部は前記筐体の一方側の前記側板における前記駆動モータの横側を上下方向に沿って配置されて前記側板に固定され、前記第二支持部は一方側の前記側板における前記駆動モータの下側に配置されて前記枠体の上端部に固定され支持されていることを特徴とする。
【発明の効果】
【００１０】
以上説明したように本発明によれば、画像形成部の筐体の側板に画像読取部を支持する第一支持体を固定しても側板が歪みにくいので、画像形成部の筐体の側板の狭い範囲に力がかかるのを抑制しつつ、画像読取部を支持する第一支持体を側板に固定し、より簡単な構成で画像読取部を画像形成部の上面に片持状で間隔を持って配置することができる。
【発明を実施するための最良の形態】
【００１１】
図１、図３に示すように、本発明の実施形態の画像形成装置の一例としてのデジタル複写機１０は、画像形成部１００の上面である排紙トレイ４０に間隔を持って、片持状に画像読取部２００が配置されている構成となっている。画像読取部２００は、原稿を読み取り、デジタル画像データに変換する。画像形成部１００は、画像読取部２００で読み取られたデジタル画像データに基づいて、マゼンタ（Ｍ）、イエロー（Ｙ）、シアン（Ｃ）及びブラック（Ｋ）の各色トナーを用いて、公知の電子写真プロセスによって、記録紙Ｐにフルカラー画像を形成する。また、図３に示すユーザーが各種操作を行う操作パネル１１側が正面側であり、反対側が奥側である。
【００１２】
まず、画像読取部２００について説明する。
【００１３】
図２、図３に示すように、画像読取部２００は、平面視すると略四角形状をし、奥側の二つの隅部が、画像形成部１００の奥側隅部に立設する２本の第一支柱部３００と第二支柱部３０２の上に取り付けられている。
【００１４】
図２に示すように、画像読取部２００の上部の押さえ板２０２は回動して開く。押さえ板２０２の下には、上面に原稿を載置するプラテンガラス等からなる透明な原稿台２０８が備えられている。また、押さえ板２０２の上部には、自動原稿送り装置２０６が設けられている。原稿台２０８の下方には原稿台２０８に載置された原稿を読み取るＣＣＤ等からなる読取バー２１０を備えている。読取バー２１０は、正面側から奥側に細長い。また、走査駆動機構２１２によって、矢印Ｗ方向に走査し、原稿台２０８に載置された原稿の画像を読み取る。
【００１５】
また、図４と図５とに示すように、画像読取部２００と突出部２２０、２２２とは、ヒンジ２２４、２２６（図１２（Ａ）参照）によって連結され、画像読取部２００は、略水平状態（図４）と開いた状態（図５）とに回動する。そして、図５に示すように、この画像読取部２００全体が回動して開くと、画像形成部１００の正面側の上方から退避し、正面側の上方に空間ができる。
【００１６】
図２に示すように、画像読取部２００の側端部に沿って、側端部が底辺となる逆三角形状の垂下部２０４、２０５が形成されている。
【００１７】
そして、図４に示すように、画像読取部２００が略水平状態（閉じた状態）では、画像読取部２００の隅部の下面２００Ａを第一支柱部３００の上面３００Ａが受け、更に、垂下部２０４の側面部２０４Ｂを第一支柱部３００の側面３００Ｂが受ける構成となっている。なお、図示は省略するが、反対側の側面も、同様に、画像読取部２００の隅部の下面２００Ａを第二支柱部３０２の上面３０２Ａが受け、更に、垂下部２０５の側面部２０５Ｂを第二支柱部３０２の側面３０２Ｂが受ける構成となっている。
【００１８】
つぎに、画像形成部１００の構成の概要と記録紙Ｐにカラー画像の形成を行うプロセスの概要とを説明する。
【００１９】
図１に示すように、画像形成部１００の略中心に、感光体ドラム１２が回転可能に配設されている。そして、画像形成部１００の正面側（右側）に、回転式現像装置５０が配設されている。
【００２０】
感光体ドラム１２は、矢印Ａ方向に回転する。また、感光体ドラム１２の表面は、感光体ドラム１２の下側に配置された帯電器１４によって、所定の電位に帯電された後、感光体ドラム１２の下方に配置された光走査装置１６から出射されたレーザビームＬによって露光が行われ、前述した画像読取部２００で読み取った原稿のデジタル画像データに基づいた潜像が形成される。
【００２１】
感光体ドラム１２の表面に形成された潜像は、回転式現像装置５０の周方向に沿って配置され、マゼンタ（Ｍ）、イエロー（Ｙ）、シアン（Ｃ）及びブラック（Ｋ）の各色の現像器５２Ｙ，５２Ｍ，５２Ｃ，５２Ｋによって現像され、所定の色のトナー像となる。なお、各現像機５２Ｙ，５２Ｍ，５２Ｃ，５２Ｋは、交換可能なトーカートリッジ５４Ｙ，５４Ｍ，５４Ｃ，５４Ｋを備えている。
【００２２】
感光体ドラム１２の表面に形成されたトナー像は、複数のロール１８と転写ロール３５とで張架され、矢印Ｃ方向に回転する中間転写ベルト３０に１次転写される。なお、１次転写されずに感光体ドラム１２の表面に残った未転写残留トナーは、感光体ドラムクリーニング装置２０で除去される。
【００２３】
なお、回転式現像装置５０は、回転軸Ｋを中心に矢印Ｂ方向に回転し、形成する画像の色に対応する色の現像器５２Ｙ，５２Ｍ，５２Ｃ、５２Ｋの現像ロール５６Ｙ，５６Ｍ，５６Ｙ，５６Ｋを、順次、現像位置Ｇに移動し、各色の現像を行う。
【００２４】
そして、帯電・露光・現像・１次転写・感光体ドラムクリーニングの各工程が、形成する画像の色に応じて、所定の回数だけ繰り返される。このようにして、中間転写ベルト３０には各色トナー像が多重転写され重ね合わされてフルカラー画像となる。
【００２５】
一方、画像形成部１００の下部には、記録紙Ｐが収容された給紙カセット２２が配置されている。
【００２６】
記録紙Ｐは、給紙ローラ２４によって送り出され、レジストローラ３３によって所定のタイミングで二次転写位置Ｔに送られ、中間転写ベルト３０のフルカラートナー像が、２次転写ロール３２と転写ロール３５とによって、一括して記録紙Ｐに２次転写される。なお、２次転写されずに残った中間転写ベルト３０の未転写残留トナーは、転写ベルトクリーニング装置３７で除去される。
【００２７】
フルカラートナー像が転写した記録紙Ｐは、奥側上部に配置された定着器３６に送られる。定着器３６は熱と圧力とで記録紙Ｐにフルカラートナー像を定着する。フルカラートナー像が定着した記録紙Ｐは、画像形成部１００の上部の排紙トレイ４０に排紙される。
【００２８】
さて、図５に示すように、画像読取部２００全体を回動させて、画像形成部１００の正面側上方から退避させると、画像形成部１００の正面側上方に空間ができる。そして、図１１に示すように、排紙トレイ４０を奥側端部の回動軸４２を中心に回動して開き、トナーカートリッジ５４が交換可能となる。なお、図１１では、トナーカートリッジ５４Ｙの交換を示しているが、その他のトナーカートリッジ５４Ｍ，５４Ｃ，５４Ｋを交換する場合は、回転式現像装置５０を回転させ、各現像器５２を交換可能な位置に移動させることで、交換できる。
【００２９】
つぎに、デジタル複写機１０の画像読取部２００の支持構造（フレーム構成）について説明する。また、図６，図７，図８等は画像形成部１００の各種カバーを外した状態の図である。
【００３０】
なお、以降の説明で、ビス９９で固定する記述がある。この記述に対応する図において、図が煩雑で見にくくなるのを避けるため、ビス９９（及びビス孔）の全ては図示せずに、代表的ないくつかのビス９９（及びビス孔）のみを図示し、その他のビス９９は省略して図示している。
【００３１】
図６と図７とに示すように、画像形成部１００の筐体４００は、板金からなる対向する側板４０２，４０４と、対向する側板４０２，４０４の間に架設された複数の橋架板４０６とで構成されている。
【００３２】
一方の側板４０２には、四つの側辺部４１２と底面部４１４とで構成された箱形状の箱部４１０が固定されている。なお、箱部４１０の底面部４１４と側板４０２とが重ね合さるようにビス９９で固定されている。よって、側辺部４１２は側板４０２から立設する構成となる。なお、この箱部４１０の中に電源回路基板（図示略）が取り付けられる。また、電源回路基板は、図４に示す側板４０２を覆う筐体カバー１０２から着脱可能な電源カバー１０４を取り外すことで、客先でも容易に交換可能となっている。
【００３３】
図６と図７とに示すように、箱部４１０の上方には、駆動モータ４２０が固定される。また、側板４０２の裏側（筐体４００の内部）には、駆動モータ４２０によって、駆動力が伝達される複数のギアからなるギア機構（図示略）が固定される。
【００３４】
更に、側板４０２には、複数の板金を折り曲げ接合して形成された第一支柱５００が固定されている。第一支柱５００は、第一支持部５０２とこの第一支持部５０２の下部から水平方向（画像読取部２０と同方向）に延びる第二支持部５０４とから構成され、全体として略Ｌ字状をしている。第一支持部５０２は、上部が開口した中空の四角柱形状の第一箱部５０６と、第一箱部５０６の下部に設けられ第一箱部５０６より細い中空の四角柱形状の第二箱部５０８と、で構成されている。なお、第一箱部５０６、及び第二箱部５０８とも上下方向が長手方向（軸方向）である。第二支持部５０４は板状をし、第二箱部５０８の下部から水平方向に延びている。
【００３５】
第一支持部５０２は側板４０２にビス９９で固定されている。第二支持部５０４は、箱部４１０の上面となる側辺部４１２Ａに重ね合わせ、ビス９９で固定されている。また、第二支持部５０４は、駆動モータ４２０と干渉しないように避けて固定されている。
【００３６】
他方の側板４０４には、第二支柱６００がビス９９で固定されている。なお、側板４０４には、一方の側板４０２のように、箱部４１０や駆動モータ４２０が固定されていないので、第二支柱６００は側板４０４の下部まで真っ直ぐ延びている。
【００３７】
図９に示すように、第二支柱６００は、二枚の曲げ加工を施された板金６０２と板金６０４とを重ね合わせてビス９９で固定し、中空の略四角柱形状としている。また、上部は二つの部屋部６１０，６１２に分割されている。また、図９（Ｃ）に示すように、一方の板金６０４の端辺部６０４Ａを曲げ、他方の板金６０２とで中空の四角柱形状の角柱部６１４を形成している。なお、第二支柱６００、及び角柱部６１４とも上下方向が長手方向軸方向）である。
【００３８】
図１０示すように、第一支柱５００の第一支持部５０２の水平断面は、第二支柱６００の水平断面より大きい（太い）。なお、前後方向（図１０の上下方向）の幅は略同じであるが、左右方向が幅広となっている。本実施形態では、第一支柱５００の第一支持部５０２の幅Ｗ１は、第二支柱６００の幅Ｗ２の約二倍となっている。
【００３９】
図８と図１２（Ａ）とに示すように、第一支柱５００の上部の開口５０６Ａと第二支柱６００の上部の開口６１０Ａから、画像読取部２００の奥側の隅部から下方に向かって突出した二本の突出部２２０、２２２（図１２（Ａ）参照）を挿入して、第一箱部５０６、第一部屋部６１０に嵌め、ビス９９で固定する。よって、第一支柱５００と第二支柱６００とが、画像読取部２００を片持状に支持する構成となる。
【００４０】
なお、画像読取部２００は、重い原稿台２０８，走査駆動機構２１２，自動原稿送り装置２０６（図２参照）等を支えるために強固に作られているうえに、更に、内部には二本の突出部２２０、２２２（図１２（Ａ）参照）の間（第一支柱５００と第二支柱６００との間）に、梁や板金などの強度部材を架橋している。よって、このように二つの隅部で第一支柱５００と第二支柱６００とで片持状に支持されても撓まない。
【００４１】
更に、図３、図４に示すように、画像形成部１００と画像読取部２００との間の側面部分は、垂下部２０４、２０５と第一支柱部３００、第二支柱部３０２以外は、あいている。（図３、図４の点線で囲むＲ部分）。したがって、デザイン的に優れた構成となっている。
【００４２】
また、図２と図３とに示すように、前述した、自動原稿送り装置２０６及び読取バー２１０を走査させる走査駆動機構２１２は、いずれも側板４０２側に配置されている。よって、図３に示すように、正面から見ると画像読取部２００の重心位置Ｙ２は、中心線Ｙ１より側板４０２側にある。
【００４３】
前述したように、ヒンジ２２４、２２６（図１２（Ａ）参照）によって、図４と図５とに示すように、画像読取部２００が回動して開く。
【００４４】
図１２に示すように、第一支柱５００の内部には、前述した箱部４１０に取り付けられる電源回路基板（図示略）と画像読取部２００とを繋ぐ電線５３０が通る。
【００４５】
更に、図１３に示すように、第一支柱５００の内部には、検知スイッチ５５０が取り付けられている。この検知スイッチ５５０は、画像形成部１００の奥側上部に配置された定着器３６（図１参照）の外側に設けられる開閉カバー５５２の開閉を検知する。具体的には、図１４に示すように、開閉カバー５５２に形成された突起部５５４が、開閉カバー５５２の開閉に伴い検知スイッチ５５０をオン・オフすることで検知する構成となっている。なお、開閉カバー５５２を開くと（図１４の状態）、電源がオフする。
【００４６】
つぎに、本実施形態の作用について説明する。
【００４７】
図１５に模式的に示すように、第一支持部５０２が側板４０２に固定され、略水平方向に延びた第二支持部５０４が、側板４０２に固定されている箱部４１０に固定されている。よって、箱部４１０も第一支柱５００と一体となって、画像読取部２００を支持している。（箱部４１０も画像読取部２００を支持する構成部品となっている）。よって、第一支持部５０２、及び第二支持部５０４で構成する三角形領域Ｓ１と箱部４１０の四角領域Ｓ２との広い領域Ｓで画像読取部２００を支えるので、第一支柱５００を側板４０２に固定しても、側板４０２に歪みが生じにくい。よって、第一支柱５００を側板４０２に固定しても、画像形成部１００の筐体４００の歪みに起因する画像の品質の低下が生じない。
【００４８】
また、図２に示すように、第一支柱５００は、画像読取部２００の奥側の隅部を支えているので、隅部を中心に画像読取部２００は正面側に倒れようとする力がかかる。しかし、図１５に示すように、水平方向に延びた第二支持部５０４を、箱部４１０の上面となる側辺部４１２Ａが受ける構成となっている。よって、第一支柱５００が正面側（図１５では右側）に倒れようとする力を（画像読取部２００が正面側に倒れようとしても）支えることができる。更に、画像読取部２００の正面側端部２００Ａを下方に押す力がかかっても、容易に第一支柱５００は倒れない。また、上述したように、側板４０２も歪みにくい。
【００４９】
更に、このように第一支柱５００は、側板４０２に強固に固定される構成となっているので、第一支柱５００と第二支柱６００とを架設する梁が必要ない。
【００５０】
また、第一支柱５００を側板４０２に強固に固定し、画像読取部２００の加重のほとんどを支えている。このため、第二支柱６００は、第一支柱５００ほど強固に固定しなくても良い。したがって、図６に示すように、第二支柱６００は第一支柱５００のように第二支持部５０４を備えていなくても問題は生じない。つまり、第二支柱６００は、任意の形状にできるので、設計の自由度が高い。
【００５１】
また、第一支柱５００の第一支持部５０２、第二支柱６００ともに、上下方向が軸方向である中空の筒形状（四角柱形状）になっている。よって、画像読取部２００の加重に対して、より強く支えることができる。
【００５２】
更に、図３に示すように、画像読取部２００の重心位置Ｙ２は側板４０２側に偏っている。また、図７に示すように、振動を発する駆動モータ４２０が側板４０２に取り付けられている。したがって、図１０に示すように、側板４０２に第一支柱５００を固定するとともに、第一支持部５０２の断面を大きくすることで、このような加重と振動とに対応している。なお、第二支柱６００は第一支柱５００より受ける加重と振動が少なく、また、図９（Ｃ）に示すように、一方の板金６０４の端辺部６０４Ａを曲げて、他方の板金６０２とで中空の四角柱形状の角柱部６１４を形成し、強度を向上させているので、断面を細くしても問題は生じない。つまり、設計の自由度が大きい。
【００５３】
また、画像形成部１００の筐体４００の側板４０２に第一支柱５００と第二支柱６００とをビス９９で固定し、そして、第一支柱５００の上部の開口５０６Ａと第二支柱６００の上部の開口６１０Ａから、画像読取部２００の奥側の隅部から下方に向かって突出した二本の突出部２２０、２２２を挿入して嵌め、ビス９９で固定することで、容易に組み立てられる。
【００５４】
また、画像形成部１００の筐体４００をそのまま使用して、画像読取部２００を取り付けられる。よって、低コストでデジタル複写機１０を製造できる。
【００５５】
換言すると、画像読取部２００、及び第一支柱５００，第二支柱６００を取り付けないで画像形成部１００単体をプリンターとして製品とすることも容易であるし、本実施形態のように画像形成部１００に画像読取部２００を取り付けてデジタル複写機１０にも容易に拡張できる。
【００５６】
また、いずれもビス９９で固定しているので、容易に着脱可能（分解可能）である。よって、修理やメンテナンスの際に好適である。
【００５７】
また、図１２に示すように、第一支柱５００の内部に電線５３０が通るとともに、図１３に示すように、第一支柱５００の内部に検知スイッチ５５０が取り付けられている。よって、検知スイッチ５５０の取り付けスペースや電線５３０の取りまわしスペースが別途必要ない。つまり、省スペース化されている。また、電線５３０が露出していなので、外観上も好ましい。
【００５８】
尚、本発明は上記実施の形態に限定されない。
【００５９】
例えば、上記実施形態の画像形成部１００の構成に限定されない。公知の電子写真方式を利用したその他の構成の画像形成部であっても良い。あるいは、電子写真方式以外の画像形成方式、例えば、ノズルからインク滴を吐出するインクジェット記録ヘッドで画像形成を行う公知のインクジェット記録方式を利用した画像形成部であっても良い。
【００６０】
また、第二支柱６００も第一支柱５００と同様の構成であっても良い。
【図面の簡単な説明】
【００６１】
【図１】本発明の実施形態に係るデジタル複写機を模式的に示す図である。
【図２】デジタル複写機の画像読取部の押さえ板が開いた状態を模式的に示す斜視図である。
【図３】デジタル複写機を正面から見た図である。
【図４】デジタル複写機を側面から見た図である。
【図５】デジタル複写機の画像読取部を回動させて開いた状態の側面図である。
【図６】デジタル複写機のフレーム構成を示す分解図である。
【図７】デジタル複写機のフレーム構成を示す図である。
【図８】第一支柱と第二支柱とに画像読取部を取り付ける図である。
【図９】第二支柱を示し、（Ａ）は二枚の板金を接合する前の状態を示し、（Ｂ）は二枚の板金の接合後を示し、（Ｃ）は（Ｂ）のＣ−Ｃ断面の断面図である。
【図１０】第一支柱の第一支持部、及び第二支柱の断面の大きさの違いを示す模式図である。
【図１１】デジタル複写機の画像読取部を回動させて開いた状態において、排紙トレイを開き、トナーカートリッジを交換する様子を模式的に示す図である。
【図１２】第一支柱と第二支柱とに画像読取部を取り付ける様子を示し、（Ａ）は斜め後方から見た図であり、（Ｂ）は（Ａ）の四角部分の拡大図である。
【図１３】（Ａ）は画像読取部が取り付けられていない状態を示した図であり、（Ｂ）は（Ａ）の四角部分の拡大図である。
【図１４】定着器の開閉カバーを開いた状態を示す図である。
【図１５】デジタル複写機のフレーム構成を模式的に示す側面図である。
【符号の説明】
【００６２】
１０      画像形成装置
４０      排紙トレイ（画像形成部の上面）
９９      ビス
１００      画像形成部
２００      画像読取部
４００      筐体
４０２      側板（一方側の側板）
４０４      側板（他方側の側板）
４１０      箱部（枠体）
４２０      駆動モータ（駆動機構）
５００      第一支柱（第一支持体）
５０２      第一支持部
５０４      第二支持部
５３０      電線
５５０      検知スイッチ（インターロック機構）
６００      第二支柱（第二支持体）
６０２      板金
６０４      板金
６１４      角柱部
【図１】
2011053701.tif 000003
【図２】
2011053701.tif 000004
【図３】
2011053701.tif 000005
【図４】
2011053701.tif 000006
【図５】
2011053701.tif 000007
【図６】
2011053701.tif 000008
【図７】
2011053701.tif 000009
【図８】
2011053701.tif 000010
【図９】
2011053701.tif 000011
【図１０】
2011053701.tif 000012
【図１１】
2011053701.tif 000013
【図１２】
2011053701.tif 000014
【図１３】
2011053701.tif 000015
【図１４】
2011053701.tif 000016
【図１５】
2011053701.tif 000017